【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
サイドリンクリソースプールにおいてサイドリンク伝送を実行する第１のデバイスの方法であって、
前記第１のデバイスが、サイドリンクリソースプールの設定を有することであって、前記サイドリンクリソースプールには、異なるＴＢ（Ｔｒａｎｓｐｏｒｔ  Ｂｌｏｃｋ）に対するリソース予約が有効にされる、ことと、
前記第１のデバイスが、予約期間のリストの設定を有することと、
前記第１のデバイスが、前記予約期間のリストから第１の予約期間を選択または決定することであって、前記選択または決定された第１の予約期間は、第１の予約期間セット内にある、ことと、
前記第１のデバイスが、第１の間隔における第１の整数をランダムに選択することであって、前記第１の間隔は、スケーリング係数および第２の間隔に基づいており、前記スケーリング係数は、前記第１の予約期間セットにおける最大予約期間に基づいて導出され、前記第１の整数は、前記第１の予約期間を有する異なるＴＢの伝送機会の数のために使用される、ことと、
前記第１のデバイスは、前記数の伝送機会からの１つの伝送機会で１つのＴＢのサイドリンク伝送を実行することと、を含む方法。
【請求項２】
前記第１のデバイスが、前記予約期間のリストから第２の予約期間を選択または決定することであって、前記第２の予約期間は、第２の予約期間セット内にある、ことと、前記第１のデバイスが、前記第２の間隔における第２の整数をランダムに選択することと、をさらに含む、請求項１に記載の方法。
【請求項３】
前記第２の間隔は、第１の整数と第２の整数との間であり、前記第２の間隔は、前記第１の整数と前記第２の整数とを含む、
前記第２の間隔は、前記第１の整数で開始し、前記第２の整数で終了する、
前記第１の整数は５であり、前記第２の整数は１５である、および／または
前記第２の間隔は、［５，１５］である、請求項１に記載の方法。
【請求項４】
前記第１の間隔は、前記第２の間隔に前記スケーリング係数を掛けたものを介して導出され、
前記スケーリング係数および前記第２の間隔に基づく前記第１の間隔は、前記第２の間隔に前記スケーリング係数を掛けたものを介して決定または導出される、
前記スケーリング係数および前記第２の間隔に基づく前記第１の間隔は、前記第２の間隔に前記スケーリング係数を掛けたものを介して導出された間隔と等しい、
前記第１の間隔は、前記第１の整数に前記スケーリング係数を掛けたものと第２の整数に前記スケーリング係数を掛けたものとの間であり、前記第１の間隔は、前記第１の整数に前記スケーリング係数を掛けたものおよび前記第２の整数に前記スケーリング係数を掛けたものを含む、
前記第１の間隔は、前記第１の整数に前記スケーリング係数を掛けたものから開始し、前記第２の整数に前記スケーリング係数を掛けたもので終了する、および／または
前記第１の間隔は、［前記スケーリング係数＊５，前記スケーリング係数＊１５］である、請求項１に記載の方法。
【請求項５】
前記第１のデバイスが、カウンタを前記第１の整数に設定すること、および／または
前記カウンタの値がゼロでないときに、前記第１のデバイスが、前記数の伝送機会からの前記１つの伝送機会で前記サイドリンク伝送を実行することをさらに含む、請求項１に記載の方法。
【請求項６】
前記スケーリング係数は、セイル演算を伴って、前記第１の予約期間セットにおいて、値が前記最大予約期間で割られたものとする、および／または
前記値は、１００である、請求項１に記載の方法。
【請求項７】
前記第１の予約期間セットは、１：１：２０からの予約期間を含む、請求項１に記載の方法。
【請求項８】
前記第２の予約期間セットは、１００：１００：１０００からの予約期間を含む、請求項２に記載の方法。
【請求項９】
前記第１の予約期間は、前記第１の予約期間セットにおける前記最大予約期間ではない、および／または
前記スケーリング係数は、前記第１の予約期間が前記第１の予約期間セットにおける前記最大予約期間でないときに、前記第１の予約期間の値に基づいて導出されない、請求項１に記載の方法。
【請求項１０】
サイドリンクリソースプールにおいてサイドリンク伝送を実行する第１のデバイスの方法であって、
前記第１のデバイスが、サイドリンクリソースプールの設定を有することであって、前記サイドリンクリソースプールには、異なるトランスポートブロック（ＴＢ）に対するリソース予約が有効にされる、ことと、
前記第１のデバイスが、予約期間のリストの設定を有することと、
前記第１のデバイスが、前記予約期間のリストから第１の予約期間を選択または決定することと、
前記第１のデバイスが、第１の間隔おける第１の整数をランダムに選択することであって、前記第１の間隔は、スケーリング係数および第２の間隔に基づいており、前記スケーリング係数は、前記第１の予約期間の値とは異なる第３の値に基づいて導出され、前記第１の整数は、前記第１の予約期間を有する異なるＴＢの伝送機会の数のために使用される、ことと、
前記第１のデバイスが、前記数の伝送機会からの１つの伝送機会で１つのＴＢのサイドリンク伝送を実行することと、を含む方法。
【請求項１１】
前記第１の予約期間は、１：１：１９からの予約期間のうちの任意の１つである、請求項１０に記載の方法。
【請求項１２】
前記第１の予約期間は、第１の予約期間セット内であり、前記第１の予約期間セットは、前記第３の値を有する予約期間を含む、および／または
前記第１の予約期間セットは、１：１：２０からの予約期間を含む、請求項１０に記載の方法。
【請求項１３】
前記第１のデバイスが、前記予約期間のリストから第２の予約期間を選択または決定することであって、前記第２の予約期間は、１００：１００：１０００からの予約期間のうちの任意の１つである、ことと、
前記第１のデバイスが、前記第２の間隔における第２の整数をランダムに選択することと、をさらに含む、請求項１０に記載の方法。
【請求項１４】
前記第２の間隔は、第１の整数と第２の整数との間とすることができ、前記第２の間隔は、前記第１の整数と前記第２の整数とを含む、
前記第２の間隔は、前記第１の整数で開始し、前記第２の整数で終了する、
前記第１の整数は５とし、前記第２の整数は１５とする、および／または
前記第２の間隔は、［５，１５］である、請求項１０に記載の方法。
【請求項１５】
前記第１の間隔は、前記第２の間隔に前記スケーリング係数を掛けたものを介して導出される、
前記スケーリング係数および前記第２の間隔に基づく前記第１の間隔は、前記第２の間隔に前記スケーリング係数を掛けたものを介して決定または導出される、
前記スケーリング係数および前記第２の間隔に基づく前記第１の間隔は、前記第２の間隔に前記スケーリング係数を掛けたものを介した導出間隔と等しい、
前記第１の間隔は、前記第１の整数に前記スケーリング係数を掛けたものと第２の整数に前記スケーリング係数を掛けたものとの間であり、前記第１の間隔は、前記第１の整数に前記スケーリング係数を掛けたものおよび前記第２の整数に前記スケーリング係数を掛けたものを含む、
前記第１の間隔は、前記第１の整数に前記スケーリング係数を掛けたものから開始し、前記第２の整数に前記スケーリング係数を掛けたもので終了する、および／または
前記第１の間隔は、［スケーリング係数＊５、スケーリング係数＊１５］である、請求項１０に記載の方法。
【請求項１６】
前記第１のデバイスは、カウンタを前記第１の整数に設定すること、および／または
前記カウンタの値がゼロでない場合、前記第１のデバイスは、前記数の伝送機会からの１つの伝送機会でサイドリンク伝送を実行することをさらに含む、請求項１０に記載の方法。
【請求項１７】
前記スケーリング係数は、セイル演算を伴って、値が前記第３の値で割られたものとする、
前記スケーリング係数は、前記第１の予約期間の値に基づいて導出されない、および／または
前記値は１００であり、前記第３の値は２０であり、および／または前記第３の値は固定値である、請求項１０に記載の方法。
【請求項１８】
前記第１の予約期間は、第１の予約期間セットにおける最大予約期間ではない、および／または
前記スケーリング係数は、前記第１の予約期間が前記第１の予約期間セットにおける前記最大予約期間でないときに、前記第１の予約期間の値に基づいて導出されない、請求項１２に記載の方法。
【請求項１９】
サイドリンクリソースプールにおいてサイドリンク伝送を実行するための第１のデバイスであって、
制御回路と、
前記制御回路に設けられたプロセッサと、
前記制御回路内に設置され、前記プロセッサに動作可能に結合されたメモリと、を含み、
前記プロセッサは、前記メモリに記憶されたプログラムコードを実行して、
サイドリンクリソースプールの設定を有することであって、前記サイドリンクリソースプールには、異なるＴＢ（Ｔｒａｎｓｐｏｒｔ  Ｂｌｏｃｋ）に対するリソース予約が有効にされる、ことと、
予約期間のリストの設定を有することと、
前記予約期間のリストから第１の予約期間を選択または決定することであって、前記選択または決定された第１の予約期間は、第１の予約期間セット内にある、ことと、
第１の間隔における第１の整数をランダムに選択することであって、前記第１の間隔は、スケーリング係数および第２の間隔に基づいており、前記スケーリング係数は、前記第１の予約期間セットにおける最大予約期間に基づいて導出され、前記第１の整数は、前記第１の予約期間を有する異なるＴＢの伝送機会の数のために使用される、ことと、
前記数の伝送機会からの１つの伝送機会で１つのＴＢのサイドリンク伝送を実行することと、を行うように構成されている、第１のデバイス。
【請求項２０】
前記プロセッサは、前記メモリに記憶されたプログラムコードを実行して、
前記予約期間のリストから第２の予約期間を選択または決定することであって、前記第２の予約期間は、第２の予約期間セット内にある、ことと、前記第２の間隔における第２の整数をランダムに選択することと、をさらに行うように構成されている、請求項１９に記載の第１のデバイス。